(57)【要約】標的種に結合する化合物を固定するための高処理量スクリーニング方法に関する。前記方法は、少なくとも１つの試験化合物及び少なくとも１つの標的種を含んで成る、多数の試験混合物を、測定できる程度への前記標的種の少なくとも一部の変性を引き起こすのに効果的である等温変性条件下でインキュベートすることを包含する。前記方法はさらに、前記少なくとも１つの試験化合物の存在下で個々の標的種の変性シグナルを検出し；そして少なくとも１つの試験化合物の存在下での個々の標的種の前記変性シグナルと、前記少なくとも１つの試験化合物の不在下での同じ標的種の変性シグナルとを、前記同じ等温変性条件下で比較することを含んで成ることを包含する。【特許請求の範囲】
【請求項１】
標的種に結合する試験化合物を同定するための高処理量スクリーニング方法であって、
少なくとも１つの試験化合物及び少なくとも１つの標的種を含んで成る、多数の試験混合物を、測定できる程度への前記標的種の少なくとも一部の変性を引き起こすのに効果的である等温変性条件下でインキュベートし；
前記少なくとも１つの試験化合物の存在下で個々の標的種の変性シグナルを検出し；そして
少なくとも１つの試験化合物の存在下での個々の標的種の前記変性シグナルと、前記少なくとも１つの試験化合物の不在下での同じ標的種の変性シグナルとを、前記同じ等温変性条件下で比較する；
ことを含んで成る方法。
【請求項２】
前記標的種が、ポリペプチド又はポリヌクレオチドである請求項１記載の方法。
【請求項３】
前記標的種がタンパク質である請求項２記載の方法。
【請求項４】
前記化合物が、前記標的種に対して特異的に結合する請求項１記載の方法。
【請求項５】
前記化合物が、共有結合、疎水性結合、イオン結合又は水素結合相互作用を通して、前記標的種に結合する請求項１記載の方法。
【請求項６】
前記変性シグナルの検出が、蛍光シグナル、ＵＶ吸光度の変化、モル楕円率、赤外線スペクトルのスペクトルシフト、ＮＭＲスペクトルのスペクトルシフト、又は支持体材料上での移動度の変化、を検出することを含んで成る請求項１記載の方法。
【請求項７】
前記変性シグナルの検出が、蛍光シグナルを検出することを含んで成る請求項６記載の方法。
【請求項８】
前記等温変性条件が、ＤＳＣにより測定される場合、標的種のＴｍ値に等しいか、又はＴｍ値よりも約１０℃高いか又は低い温度を含んで成る請求項１記載の方法。
【請求項９】
前記等温変性条件が、ＤＳＣにより測定される場合、標的種のＴｍ値に等しいか、又はＴｍ値よりも約１０℃まで低い温度を含んで成る請求項８記載の方法。
【請求項１０】
少なくとも１つの試験化合物、少なくとも１つの標的種、及び少なくとも１つのレポーター分子を、等温変性条件下でインキュベートすることをさらに含んで成る請求項１記載の方法。
【請求項１１】
前記試験化合物及びレポーター分子の濃度が、比較できる高さのものである請求項１記載の方法。
【請求項１２】
前記試験化合物の濃度が、標的種の濃度よりも少なくとも１０倍高い請求項１１記載の方法。
【請求項１３】
前記レポーター分子が、蛍光レポーター分子である請求項１０記載の方法。
【請求項１４】
個々の試験混合物が、１つの標的種を包含する請求項１記載の方法。
【請求項１５】
個々の試験混合物が、少なくとも２種の試験化合物を包含する請求項１記載の方法。
【請求項１６】
個々の試験混合物が、２〜１０種の試験化合物を包含する請求項１５記載の方法。
【請求項１７】
タンパク質に結合する試験化合物を同定するための高処理量スクリーニング方法であって、
少なくとも１つの試験化合物、少なくとも１つのレポーター分子、及び少なくとも１つのタンパク質を含んで成る、多数の試験混合物を、測定できる程度への前記標的種の少なくとも一部の変性を引き起こすのに効果的である等温変性条件下でインキュベートし；
前記少なくとも１つの試験化合物の存在下で個々のタンパク質の変性シグナルを検出し；そして
少なくとも１つの試験化合物の存在下での個々のタンパク質の前記変性シグナルと、前記少なくとも１つの試験化合物の不在下での同じタンパク質の変性シグナルとを、前記同じ等温変性条件下で比較する；
ことを含んで成る方法。
【請求項１８】
前記レポーター分子が、蛍光レポーター分子である請求項１７記載の方法。
【請求項１９】
個々の試験混合物が、１つの標的種を包含する請求項１記載の方法。
【請求項２０】
個々の試験混合物が、少なくとも２種の試験化合物を包含する請求項１記載の方法。
【発明の詳細な説明】
【０００１】
発明の背景：
薬剤発見過程で直面する主用挑戦の１つは、標的種、特にタンパク質標的物に結合するであろう小さな有機リガンドの同定である。多数の新規タンパク質標的物がゲノム及び生物情報科学（Ｂｉｏｉｎｆｏｒｍａｔｉｃｓ）の努力により発見されている。それらのタンパク質の多くは、既知の機能又は既知の特定のリガンドを有さない。従って、それらの標的物のためのリガンドの同定は、高処理量スクリーニング（ＨＴＳ）、例えば特にアッセイ開発の観点から超高処理量スクリーニング（ＵＨＴＳ）方法による大きな化学ライブラリーのスクリーニングにおける挑戦を提供する。従って、タンパク質、特に未知の官能性を有するそれらのタンパク質を結合するリガンドを同定するために使用され得る、直接的な、一般的に適用できる方法、特にＨＴＳアッセイ方法についての必要性がある。
【０００２】
基質又は特定のリガンドの結合が一般的に、固有の安定性及び従って、タンパク質の変性プロフィールを変更することは知られている。従って、タンパク質変性を測定する方法は、リガンド−タンパク質相互作用を検出し、そして定量化するために使用され得る。
【０００３】
タンパク質の変性は、それらの三次／四次構造及び究極的には、生物学的活性の前進性損失（ｐｒｏｇｒｅｓｓｉｖｅ ｌｏｓｓ）により達成される。変性は、温度、ｐＨ及び／又はイオン強度の変化、カオトロピック剤の使用、等を包含する多くの物理的及び化学的方法により達成され得る。それは、タンパク質におけるコンホーメーション変化をモニターするために十分に感受性の方法により追跡され得る。それは単純且つ広く適用できる実験方法であるので、熱変性が、不純物の選択的変性によるタンパク質の精製を包含する種々の目的のために、及びタンパク質構造、折りたたみ及び安定性を研究するために使用されて来た。
【０００４】
示差走査熱量計（ＤＳＣ）により得られる熱変性曲線（（ＴＤＣ）、変性されたタンパク質の画分が徐々に上昇する温度の関数として測定される）は、タンパク質安定性を決定し、そしてその三次構造について推定するために特に有用であることが示されている。ＴＤＣの有用性は、所定のタンパク質のための基質又は特定のリガンドである化合物の結合がそのタンパク質の固有安定性を変え、そして従って、ＴＤＣ及びＴｍ （中点温度）値の移行を引き起こすので、さらに増強される。
【０００５】
熱走査方法の結果の解釈は、変性方法が、温度走査速度の時間尺度に基づいて非常に急速である、１段階、可逆性且つ連続性方法である仮定に依存する。しかしながら、通常の実験条件下でのほとんどのタンパク質の変性は不可逆性である。典型的には、変性が容易に可逆性であることは、単なる小さなタンパク質及び非常に穏やかな変性剤による。従って、ＤＳＣは、再生でき且つ容易に解釈できる結合測定値を提供することはできない。
【０００６】
一般的に、ＤＳＣ曲線は、いくつかはリガンドの結合に対して敏感であり、そしていくつかはまったく敏感ではない多くの異なった構造ドメインの安定性に影響を及ぼす。さらに、変性は、タンパク質構造内の多くの位置で開始され得る。それらの工程の個々は、狭い温度範囲内でのみそれを有力な工程にするそれ自体の活性化エネルギーを有する。結果として、走査速度に依存して、所定のドメインの安定性は、ＤＳＣ曲線において明白であっても又はなくても良い。さらに、示差走査熱量計は、複数のタンパク質変性段階を見ることができ、ここで１つの段階は単一の転移のみを予測するであろう。
【０００７】
走査熱変性方法のより高い非解決性に寄与するさらにもう１つの主要な要因は、興味あるリガンド、及びタンパク質の構造統合性について報告する蛍光色素のリガンドの両者の結合平衡が強く温度依存性である要因である。従って、方法の感受性、及び研究下のリガンドの安定化効果の両者が、実験の間、強く移動する。
従って、標的種に結合する化合物を同定する方法のための必要性が存在する。好ましくは、そのような方法は、ＵＨＴＳ又はＨＴＳに対して順序であり、再生でき、そして加熱速度に無関係である。
【０００８】
発明の要約：
本発明は、標的種（例えば、ポリペプチド、例えばタンパク質、及びポリヌクレオチド、例えばＤＮＡ及びＲＮＡ）に結合する化合物を同定するための方法を提供する。それらの方法は、好ましくは、蛍光検出方法と組合して、等温変性の使用を包含する。有意には、本発明の方法は、ＨＴＳ及びＵＨＴＳのために適切な自動方法を包含する。理想的には、本発明の方法は、２４時間で、１０，０００〜６０，０００又はそれ以上の化合物を評価計量できることが予測される。
【０００９】
タンパク質の等温変性は、結合リガンドの同定のための魅力ある方法を提供する。有意には、好ましい方法においては、本発明は、結合されたリガンドによる標的物（例えば、タンパク質）安定性の変更を決定するために等温方法による変性と蛍光技法とを結合する。特に好ましい態様においては、等温変性に対する、リガンドによる標的種（例えば、タンパク質標的物）の変性及び安定化又は不安定化が、蛍光強度の変化により定量化される。
【００１０】
１つの好ましい態様においては、本発明は、標的種に結合する試験化合物を同定するための高処理量スクリーニング方法を提供する。前記方法は、等温条件下での多くの試験混合物のインキュベーションを包含し、個々の試験混合物は少なくとも１つの試験化合物（好ましくは、少なくとも２種の試験化合物、及びより好ましくは、２〜１０種の試験化合物）、及び少なくとも１つの標的種（好ましくは、わずか１種の標的種がいずれか１種の試験混合物に存在する）を包含し、ここで前記等温変性条件は、測定できる程度への標的種の少なくとも一部の変性（例えば、折りたたまれていない）を引き起こすために効果的である。
【００１１】
前記方法はさらに、前記少なくとも１つの試験化合物の存在下で個々の標的種の変性シグナルを検出し；そして少なくとも１つの試験化合物の存在下での個々の標的種の前記変性シグナルと、前記少なくとも１つの試験化合物の不在下での同じ標的種の変性シグナルとを、前記同じ等温変性条件下で比較することを包含する。典型的には及び好ましくは、本発明の方法は、１日当たり少なくとも約１００種の試験混合物を評価することができる。好ましくは、そのような評価は、実質的に同時に生じる。
【００１２】
本明細書に記載される方法においては、標的種は、ポリペプチド（例えば、タンパク質）又はポリヌクレオチド（例えば、ＤＮＡ又はＲＮＡ）であり得る。好ましくは、標的種はタンパク質である。前記化合物は、特異的に（例えば、特異的部位で又は特異的態様において）又は非特異的に標的種に結合することができる。結合は、種々の機構、例えば共有結合、イオン結合、水素結合、疎水性結合（例えば、ファン・デル・ワールス力）、又はそれらの組み合わせを包含することができる。
【００１３】
定義：
本発明においては、次の定義が適用される：
等温変性条件は、固定された温度で標的分子を変性するのに効果的な条件を意味する。それはまた、一般的には、所定の標的物のための種々の化合物の評価のために一定に指示される、ｐＨ、イオン強度、カチオン濃度、等に関する定義された条件も包含する。
【００１４】
変性シグナルは、変性に基づいて標的種により生成されるシグナルを意味する。
Ｔｍは、示差走査熱量計により決定される場合、標的物の溶融転移の中点値を意味する。
レポーター分子は、別々に添加される分子、例えば標的物に結合される蛍光色素又は共有結合されたレポーター基を意味する。
【００１５】
好ましい態様の特定の記載：
本発明は、等温変性の使用に向けられる。前記方法は、広範囲の種類の分子、例えばタンパク質、例えば未知の機能を有するそれらのタンパク質に対するリガンドについてスクリーンするために使用され得る。有意には、本発明の方法は、傾斜温度を上下する必要性を排除し、そしてＨＴＳ又はＵＨＴＳ自動環境下でより早いアッセイの開発及び高い処理量を可能にすべきである。この技法は、ＲＮＡ， ＤＮＡ， α−酸性糖タンパク質及び血清アルブミンに結合する化合物の調査に容易に拡張できるべきである。
【００１６】
等温変性は、変性（例えば、標的種の非折りたたみ）をモニターするための及び結合リガンドの同定のための魅力的な他の方法を提供する。それはＨＴＳ及びＵＨＴＳに対して従順である。さらに、変性工程は、容易に調節でき、再生でき、そして加熱速度に無関係である。
【００１７】
等温変性に使用される温度の選択は、一連の温度（例えば、約４５℃〜約７５℃の範囲内）での標的種の変性の速度を測定することによって決定され得る。それらの測定は、例えば標的分子の非折りたたみに関連するコンホーメーション変化に結合し、そしてそれを報告する蛍光レポーター分子を用いて行われ得る。他方では、変性シグナルは、標的種に関してのＵＶ吸光度、ＣＤ楕円率を用いて、又は微少熱量研究によりモニターされ得る。好ましくは、予備ＤＳＣ走査は、当業者に知られているように、長期間にわたって標的物の安定性を増強する適切な緩衝液における標的種のＴｍ（中点値温度）を決定するために実施される。
【００１８】
結合実験の間、すべての成分は、標的タンパク質の容易にモニターされる変性を生成するために選択される１つの所定の温度（好ましくは、±約０．２℃）で維持される。等温変性の温度が低く過ぎる場合、その運動学は遅過ぎる。一般的に、検出できる量の変性（例えば、非折りたたみ）が約６０分以内又はそれ以下で生じることが所望される。
【００１９】
温度が高過ぎる場合、その運動学は早過ぎ、その結果、試験化合物は、例えば高過ぎる程度の非折りたたみをもたらす、変性された標的種を安定化することはできない。高過ぎる非折りたたみは、標的物の沈殿をもたらす凝集を引き起こすことができる。さらに、高過ぎる温度で、試験化合物はまったく結合することができない。好ましくは、等温変性のための所望する温度は、ＤＳＣにより測定される場合、標的種のＴｍ値±約１０℃に等しい。より好ましくは、この温度は、標的種のＴｍ値に等しいか、又はそれよりも約１０℃まで低い。
【００２０】
標的種は、好ましくは、その変性をモニターすることができる適切なレポーター分子と共に、標的種の存在及び不在下でインキュベートされる。好ましい態様においては、化合物及びレポーター分子の濃度は、比較できる高さのものであるが（好ましくは、約１μＭより高くない）、しかしレポーター分子は、標的分子よりも高くある必要があり、そして試験化合物の濃度は少なくとも１０倍以上高い。“適合”のための％阻害カットオフは、アッセイ実施の前に設定され得るか、あるいはすべてのスクリーニングの前、又はその後、統計学的に決定され得る。
【００２１】
蛍光技法は、ＨＴＳ及びＵＨＴＳについての選択の検出方法に急速に成るに従って、本発明の一定の好ましい態様においては、蛍光分子が選択のマーカーとして使用される。等温方法によっての変性によるカップリング蛍光技法は、等温変性において、外来的に添加されたレポーター分子の量的収量がタンパク質折りたたみの変化にのみ依存し、そして温度効果に依存しないので、魅力あるものである。さらに、量的な蛍光収量のいずれかの変化が、異なった変性された形の標的種へのレポーター分子の結合を測定する。従って、結合されたリガンドによる標的物の安定性の変更は容易に検出できるべきである。
【００２２】
本発明は、既知の競争インヒビター／リガンドが標的種に結合するかどうかを決定するために、等温変性が使用され得ることを示す。この結果は、他の方法により得られる結果に比較できる。３種の異なった検出方法からの変性運動学の一致は、同じ非折りたたみ工程が本発明の方法を用いて測定されることを確認する。
【００２３】
レポーター分子の蛍光は好ましくは、標的物の変性に基づいて数倍（好ましくは、少なくとも約２倍）、高めるべきである。タンパク質に関しては、これは典型的には、タンパク質の疎水性領域の暴露により達成される。レポーター分子はまた、好ましくは、天然の標的物に対して低い親和性を有すべきであり；すなわち、天然の標的物／レポーター分子複合体の蛍光は広い濃度範囲にわたって直線的であるか、又は好ましくは、天然の標的物に対してまったく結合せず、その結果、それはリガンド自体にならない。最終的に、化合物ライブラリーは一般的に、約３００ｎｍ〜約４００ｎｍの間で吸収し、そして／又は蛍光を発する多数の化合物を含むので、レポーター分子は好ましくは、可視領域において励起及び発光を有し、前記領域においては、数種の化合物は、例えば約４８８ｎｍでの励起及び約５１５ｎｍでの発光を妨害する。
【００２４】
レポーター分子（例えば、蛍光色素）は、Ｍｏｌｅｃｕｌａｒ Ｐｒｏｂｅ （Ｅｕｇｅｎｅ， ＯＲ） から市販されており、そして標的分子の疎水性領域に結合される場合、明るく蛍光を発する。それらは、ＳＹＰＲＯ Ｏｒａｎｇｅ， ＳＹＰＲＯ Ｒｅｄ， Ｎａｒｏ Ｏｒａｎｇｅ， Ｎｉｌｅ Ｒｅｄ， １−アニリノナフタレン−８−スルホン酸（１， ８−ＡＮＡ）及びダポキシルブチルスルホンアミド（ＤＢＳ）、並びに他のダポキシル類似体を包含する。Ｎａｎｏ Ｏｒａｎｇｅ蛍光は、非常に低いバックグラウンド蛍光と共に、約１０ｎｇ／ｍｌ〜約１０μｇ／ｍｌの線状蛍光範囲を伴なって、溶液におけるタンパク質の定量化のために超感受性色素を提供する。ＳＹＰＲＯ Ｏｒａｎｇｅ及びＳＹＰＲＯ Ｒｅｄは、銀染色と同じほど良好な感受性を伴なって、ゲル染色のために使用される。
【００２５】
タンパク質変性を伴なっての色素の蛍光の上昇のための基礎は、新しく暴露された疎水性部位へのそれらの結合である。１， ８−ＡＮＳは、タンパク質の非折りたたみをモニターするために長年、広範囲に使用されて来たが、しかしながら、その量的収量は、変性されたタンパク質に結合される場合、上記で論じられた色素の収量よりも低く、そして従って、アッセイにおいて多量のタンパク質及びレポーター分子の使用を必要とする。ＤＢＳは、蛍光発光が環境の変化に基づいて１００ｎｍほどシフトすることができる、比較的新しい溶媒和クロム（ｓｏｌｖａｔｏｃｈｒｏｍｉｃ）色素である。しかしながら、その低い励起及び発光波長のために、それは、ＨＴＳに対して、Ｎａｎｏ Ｏｒａｎｇｅ， ＯＹＰＲＯ Ｏｒａｎｇｅ又はＳＹＰＲＯ Ｒｅｄよりも所望されない。
【００２６】
発光強度が、所望する標的種に結合される場合、上昇するか又は低下するいずれかの蛍光レポーター分子が、等温変性のために使用され得る。標的種に対する蛍光レポーター分子の親和性は、上昇する濃度の変性された標的種及び天然の標的種の存在下で、所定の濃度のレポーター分子の蛍光を測定することによって決定され得る。次に、親和性を知ることは、標的種に対する蛍光レポーター分子の濃度の最適化を可能にする。
【００２７】
試験化合物及び標的種の混合物に添加される非共有蛍光レポーター分子の他に又はその代わりに、１対の蛍光団（その１つは、他の蛍光を消光する）により共有ラベルされた標的種を使用することができる。標的種の非折りたたみは、２種の蛍光団間の分子間距離を変えるので、変性は蛍光の変化により達成される。特異的部位で同じ標的種をラベリングすることにより、異なった構造領域での変性がモニターされ得る。
【００２８】
蛍光技法、特に蛍光増強をもたらす色素結合が選択される検出方法であるが、他の技法も本発明の方法に使用され得る。これは、例えば１）溶媒に対する芳香族アミノ酸の暴露に起因する２８０ｎｍでのＵＶ吸光度の変化；２）円二色性（ＣＤ）によるモル楕円率の変化；３）赤外線又はＮＭＲスペクトルシフト；４）支持材料（例えば、固体支持体）上での移動度の変化の、サイズ排除クロマトグラフィー、細管電気泳動、等によるモニターリングを包含することができる。それらのアプローチのどれも、外来性又は固有の蛍光レポーター分子の使用を必ずしも必要としない。
【００２９】
比較的高い変性温度を有する標的種に関しては、実験は、カオトロピック剤、例えば、尿素、塩酸グアニジン、有機溶媒、又はレポーター分子と標的種との結合を不当に妨害しないで、タンパク質変性を促進するいずれか他の試薬の存在下で行われ得る。
個々の標的分子の変性のための正確な実験条件は変化するであろう。当業者は、適切な決定を行い、そして／又は適切な緩衝システム（ｐＨ、イオン強度、イオン性補因子、等）を実験的に決定することができる。例えば、タンパク質分子の等電点（ｐＩ）は、ｐＨがそれらの研究において有用であることの決定を助ける。
【００３０】
実際、本発明の方法は、複数−レザバーサンプルホルダー、例えばマイクロタイタープレートにおいて行われ得る。典型的には、標的種を除くすべての成分が添加され、そして複数−レザバーサンプルホルダーが一定の期間、適切な温度で維持される。熱平衡に達した後、サンプルホルダーは好ましくは、標的種がすべてのレザバーに、好ましくは同時に添加されるステーションに移される。複数−レザバーサンプルホルダーは典型的には、いずれかの成分の添加の前、密封される。
【００３１】
例えば、マイクロタイタープレートは、プレートを密封するが、しかしマイクロタイター先端がプレートに容易に侵入するが、しかし先端の除去の後、それは再密封するような態様で評点される、プラスチックシートから製造される被覆を包含することができる。標的種の導入の後、サンプルホルダーは、変性シグナルを読み取るための適切な検出器に、又は検出が所望されるまで、維持するためにインキュベーターに、すぐに移行される。すべての段階は、主動的に又は所望される場合、ロボットにより行われ得る。
【００３２】
高処理量スクリーニングのためには、Ｒａｐｉｄ Ｐｌａｔｅモジュール、ジャケット付き回転スライドトレー、蛍光プレートリーダーと直面する１０−プレートインキュベーターシステムを備えた、市販のＺｙｍａｒｋ／Ｚｙｍａｔｅ ＰＣＳシステム（Ｚｙｍａｒｋ Ｃｏｒｐ．， Ｚｙｍａｒｋ Ｃｅｎｔｅｒ， ｈｏｐｋｉｎｔｏｎ， ＭＡ）が使用され得る。このシステムは、９６−及び３８４−ウェルマイクロタイタープレートを処理することができ、そして本発明の等温変性方法への使用のために適合され得る。例えば、１０−プレートインキュベーターが、加熱要素、例えばサンプルインキュベーションのためのＷａｔｌｏｗ柔軟フラットマットヒーターにより改良され得る。インキュベーターの温度はさらに、循環する水浴の使用により調節され得る。
【００３３】
Ｚｙｍａｒｋ／Ｚｙｍａｔｅシステムは、温度調節を助け、そしてマイクロタイタープレートにおけるサンプル体積の損失を低めるために、温度調節された増湿装置及び内部ファン及び外部加熱ランプを包含するよう改良され得るジャケット付き回転スライドトレーを包含する。Ｚｙｍａｒｋ／Ｚｙｍａｔｅシステムはまた、加熱ブロック及び加熱ランプを包含するよう改良され得るピペットステーション（Ｒａｐｉｄ Ｐｌａｔｅ Ｍｏｄｕｌｅ）を包含する。蛍光測定のためには、ＢＭＧ ＰＯＬＡＲｓｔａｒマイクロタイター（ＢＭＧ Ｌａｂｔｅｃｈｎｏｌｏｇｉｅｓ， Ｉｎｃ．， Ｄｕｒｈａｍ， ＮＣ）がまた、循環する水浴により温度を調節するために（例えば、約−２０℃〜約９０℃）、改良され得る。このシステムは、サンプルによる等温条件の経験を可能にするために改良され得る、ロボット及びコンピューターソフトウェアを用いて自動化される。
【００３４】
本発明の方法を用いて、チミジル酸キナーゼ（ＴＫ）及びストロメリシンの等温変性の運動学は、それらの特異的リガンドの存在下で、及び不在下で、量的収量が、折りたたまれていないタンパク質の暴露された疎水性領域に結合される場合、高まる長い波長の蛍光によりモニターされた。時間依存性は、２種の連続した一次反応の反応スキームとすべて一致した。すなわち、両タンパク質についての変性の運動学は、二相モデルにより最良に記載された。従って、たぶん多くの段階のうちわずか２つの段階が速度制限である。
【００３５】
非折りたたみ工程の運動学の有意な量の情報が蛍光測定により供給されることは明らかである。リガンド濃度に対する速度定数の依存性は、タンパク質／リガンド複合体の安定化効果に影響を及ぼす結合等温により分析できる。この方法は、その結果と、定常状態蛍光分光計、円二色計及びＵＶ分光計により得られるそれらの結果とを比較することによって確認された。いくつかの分析検出方法の結果から計算されたその反応する速度定数は、比較できた。両段階の速度定数は、活性部位リガンドの結合に依存した。解離定数は、溶融転移温度でのリガンドの親和性を表す。
【００３６】
生理学的温度での親和性定数（すなわち、“解離定数”）は、２種の異なった温度での測定からの推定により決定され得る。複数ウェル（例えば、９６−ウェル）型で得られるそれらの結果と一緒にされるそれらの結果は、等温変性がいずれかの所定のタンパク質に対して高い特異性を有するリガンドについて、ＨＴＳ、例えばＵＨＴＳのための選択の方法であることを示す。
本発明を一般的に記載して来たが、本発明は、例示的であって、本発明を限定するものではない次の例により、一層容易に理解されるであろう。
【００３７】
実施例
Ｉ．材料及び方法：
Ａ．試薬：
ＳＹＰＲＯ Ｏｒａｎｇｅ， ＳＹＰＲＯ Ｒｅｄ， Ｎａｎｏ Ｏｒａｎｇｅ， １−アニリノナフタレン−８−スルホン酸（１，８−ＡＮＳ）及びダポキシルブチルスルホンアミド（ＤＢＳ）を、Ｍｏｌｅｃｕｌａｒ Ｐｒｏｂｅｓ Ｉｎｃ．， Ｅｕｇｅｎｅ， Ｏｒｅｇｏｎから購入した。チミジン一リン酸（ＴＭＰ）及びすべてのほかの試薬は、Ｓｉｇｍａ−Ａｌｄｒｉｃｈ Ｃｈｅｍｉｃａｌ Ｃｏｍｐａｎｙからであった。使用されるすべての市販の化学薬品は、試薬品種又はそれ以上のものであった。ＰＮＵ−１４３９８８として言及される化合物は、次の構造を有した：
【００３８】
【化１】
2004502130.tif 000002
【００３９】
Ｂ．タンパク質：
Ｓ．アウレウス（Ｓ．ａｕｒｅｕｓ）チミジル酸キナーゼを、Ｈｕｍａｎ Ｇｅｎｏｍｅ Ｓｃｉｅｎｃｅｓによりクローン化し、そしてＱｉａｇｅｎ（ＱＩＡＧＥＮ Ｉｎｃ．， Ｖａｌｅｎｃｉａ， ＣＡ）から購入されたＮｉ２＋−ＮＴＡカラムを用いて、親和性クロマトグラフィーにより精製した。ＴＫに関しては、等温変性は０．５ｍＭのβ−メルカプトエタノールを含む、５ｍＭのトリス緩衝液（ｐＨ７．８０）において生じ、そして２５３℃の温度で測定され、但し、ロボットアッセイの確認実験は、５２℃で行われた。Ｓ．アウレウスのウリジル酸キナーゼ（ＵＫ）を、Ｈｕｍａｎ Ｇｅｎｏｍｅ Ｓｃｉｅｎｃｅｓによりクローン化し、そしてＮｉ２＋−ＮＴＡカラム（ＱＩＡＧＥＮ Ｉｎｃ．， Ｖａｌｅｎｃｉａ， ＣＡ）を用いて、親和性クロマトグラフィーにより精製した。
【００４０】
ＵＫは、５０ｍＭのトリス、５００ｍＭのＮａＣｌ、１０％のグリセロール及び５ｍＭのβ−メルカプトエタノールの緩衝液（ｐＨ７．８）を用いて、ＤＳＣにより決定される場合、転移中点値、すなわち４５．５℃のＴｍを有する。等温変性のための確認実験を、５０ｍＭのトリス、２００ｍＭのＫＣｌ、１０％のグリセロール、及び５ｍＭのβ−メルカプトエタノールから成る緩衝液（ｐＨ７．５）において、４１℃のＴｍで行った。ストロメリシンをクローン化し、そしてＦｉｎｚｅｌなど．， Ｐｒｏｔ． Ｓｃｉ．， ７， ２１１−２１２６ （１９９８） により記載のようにして精製した。それは、ＤＳＣにより測定される場合、７５℃のＴｍを有する。この温度を、次の等温変性実験のために選択した。ストロメリシンのための緩衝液システムは、１０ｍＭのイミダゾール、２．５ｍＭのＣａＣｌ２、 ５μＭのＺｎＣｌ２（ｐＨ６．５）から成った。
【００４１】
Ｃ．リガンド：
すべてのリガンドのための原液を、特にことわらない限り、ジメチルスルホキシド（ＤＭＳＯ）において調製した。水溶解性が十分に高い場合、第２原液を特定のタンパク質のための緩衝液システムにおいて製造し；他方では、希釈された原液をＤＭＳＯにおいて調製した。少アリコート、典型的には、１０μｌ又はそれ以下のリガンド溶液を、緩衝液に添加し、そしてタンパク質の添加の前、セルにおける適切な温度で平衡化した。
【００４２】
対照実験は、タンパク質変性に対する添加されたＤＭＳＯの効果を評価した。いくつかの場合、０．１％のＣＨＡＰＳ（重量／体積％；（３−［（３−クロロアミドプロピル）−ジメチルアンモニオ］−１−プロパンスルホネート）を反応混合物に添加し、ＤＭＳＯの効果を妨げた。システムを確認するために、チミジル酸キナーゼ又はウリジル酸キナーゼのいずれかについての活性アッセイにおいて活性的であることがこれまでに示されているサブセットの化合物を、タンパク質標的物のためのリガンドであることの高められた確立を有する典型的な数の化合物として試験した。
【００４３】
Ｄ．蛍光測定：
蛍光測定のために、比率モードでの光子計数ＩＳＳ Ｋ２分光蛍光計を用いた（ＩＳＳ Ｉｎｃ．， Ｕｒｂａｎａ， Ｉｌｌｉｎｏｉｓ）。温度を、Ｐｏｌｙｓｃｉｅｎｃｅｓプログラム温度調節器（Ｐｏｌｙｓｃｉｅｎｃｅｓ，Ｎｉｊｅｓ， ＩＬ）により、実験を通して０．２℃以内に維持した。発光を、次の発光フィルターを用いて、フィルターチャネル上で観察した：Ｎａｎｏ Ｏｒａｎｇｅに関しては５３０ｎｍのバンドパスフィルター、ＳＹＰＲＯ Ｏｒａｎｇｅに関しては５９０ｎｍのカットオフ、ＳＹＰＲＯ Ｒｅｄ及びＮｉｌｅ Ｒｅｄに関しては６３０ｎｍのカットオフ、及び１，８−ＡＮＳ及びダポキシルブチル−スルホンアミドに関しては４７０ｎｍのカットオフ。
【００４４】
他方では、蛍光測定を、ＢＭＧ ＰＯＬＡＲｓｔａｒマイクロプレートリーダー（ＢＭＧ Ｌａｂｔｅｃｈｎｏｌｏｇｉｅｓ， Ｉｎｃ．， Ｄｕｒｈａｍ， Ｎｏｒｔｈ Ｃａｒｏｌｉｎａ）により獲得した。温度を循環する水浴により調節した。この装置は、４８５ｎｍの中心波長、１５ｎｍのバンドパス励起フィルター及び５８０ｎｍの中心波長、１２ｎｍのバンドパス発光フィルターを用いて、Ｎａｎｏ Ｏｒａｎｇｅを最良に検出した。
【００４５】
等温変性の間、外来性色素の蛍光の時間−依存性を次の通りにしてモニターした。試験色素を、所望する温度で熱的に予備平衡化された緩衝液２ｍｌを含む撹拌されたキュベットに添加した。色素基線を、４５秒の間、記録し、そして変性反応を、少アリコートのタンパク質原液の添加により開始した。この手段においては、タンパク質は、実質的に瞬間的に変性の温度に達した。別の実験においては、タンパク質を、色素の不在下で変性温度で維持し、そしてレポーター分子を、反応の最後で添加した。後者の実験においては、色素の添加に関連する蛍光の上昇は常に瞬間的であった。実験の条件下で、色素自体が生来のタンパク質の有意な画分を複合体化しないことを確かめるために、固定された量の色素を、上昇する量のタンパク質により滴定し、そして蛍光上昇が飽和に達しなかったことを示した。
【００４６】
ストロメリシンの３個のトリプトファン残基が、活性部位領域において隠され、そしてそれは、タンパク質の非折りたたみの敏感なレポーターである。従って、このタンパク質の等温変性をまた、固有のトリプトファン蛍光の変化により測定した。それらの実験に関しては、タンパク質を、等温変性の温度でキュベットにおいて平衡化された緩衝液に添加した。励起波長は２９３ｎｍであり、そして発光を、３２０±１０ｎｍバンドパスフィルターを用いてモニターした。
【００４７】
Ｅ．熱量測定：
ストロメリシン及びＴＫについてのＤＳＣを、Ｍｉｃｒｏｃａｌ， Ｉｎｃ． （Ｎｏｒｔｈａｍｐｔｏｎ， ＭＡ）からのＭＣ−２示差走査熱量計を用いて行った。ストロメリシンに関しては、熱量計の１．２ｍｌのサンプル細胞を、１０ｍＭのイミダゾール、２．５ｍＭのＣａＣｌ２及び５ｍＭのＺｎＣｌ２を含む緩衝液（ｐＨ６．５０）中、１５０μＭの酵素により満たした。ＴＫに関しては、熱量計細胞を、０．５０ＭのＮａＣｌ、１０％のグリセロール及び５ｍＭの２−メルカプトエタノールを含む５０ｍＭのトリス−ＨＣｌ緩衝液（ｐＨ７．７０）中、１５μＭの酵素により満たした。
【００４８】
対照細胞を、同じ緩衝液により満たした。その溶液を、１℃／分の速度で２５℃〜８０℃まで走査する前、５分間ガス抜きした。サンプル細胞における透析物緩衝液により集められた基線走査を、タンパク質走査から控除し、そしてその得られるデータを、単位タンパク質濃度に転換した。装置のＹ−軸を、標準の電気ヒートパルスを用いて検量し、そして温度走査を、それぞれ２８．２℃及び７５．９℃で溶融するｎ−オクタデカン及びｎ−ヘキサトリアコンタンを用いて検量した。
【００４９】
Ｆ．円二色性：
円二色性（ＣＤ）スペクトルを、Ｊａｓｃｏ Ｊ−７１５分光偏光計（Ｊａｓｃｏ Ｃｏｒｐ．， Ｅａｓｔｏｎ， ＭＤ）、及びＨａａｋｅ Ｄ８循環水浴（Ｈａａｋｅ Ｇｍｂｈ， Ｋａｒｌｓｒｕｂｅ， Ｇｅｒｍａｎｙ）により０．１℃以内に温度調節された、０．１ｃｍの通過の長を有する円柱状石英セルを用いて測定した。タンパク質の濃度は、そのモル楕円率に基づいて選択され、そして通常、約１μＭ〜約２０μＭの範囲であった。タンパク質の、又は１０〜１００倍過剰のリガンドを有するタンパク質の溶液を、セル中に注入する前に調製した。個々の溶液をまず、０．２５秒の応答、１００ｎｍ／分走査速度、１．０ｎｍの分解能及びバンド幅及び５つの蓄積を伴なって、１７８ｎｍ〜２６０ｎｍで２２℃で走査した。
【００５０】
次に、セルを、等温変性の温度まで急速に添加し、そして２２２ｎｍでの楕円率の時間依存性をモニターした。０．５ｍ秒間隔で１．０ｎｍのバンド幅を有する二色性をサンプリングし、そして１６秒間、蓄積した。データを、１６秒束の運転平均として１秒ごとに貯蔵した。時間走査の後、波長走査を同じ温度で行った。セル及び緩衝溶液（リガンドを有し、そして有さない）を、吸光度及び二色性に通常通りに調べた。セルを、上記のようにして十分に清浄し、そして実験間で、蒸留水及びエタノールによりすすいだ。
【００５１】
Ｇ．吸光度の測定：
ＵＶ吸光度を、Ｐｅｒｋｉｎ−Ｅｌｍｅｒ Ｌａｍｂｄａ ４０ＵＶ−Ｖｉｓ二重線分光計（Ｐｅｒｋｉｎ−Ｅｌｍｅｒ Ｃｏｒｐ． Ｎｏｒｗａｌｋ， ＣＴ）を用いて測定した。緩衝液により満たされた、キャップされた１．０ｃｍの通過の長さの石英キュベットを、対照ビームに配置する。サンプルビームにおいては、１．５ｍｌのガス抜きされた緩衝液、又は緩衝液及びリガンド（添加されるタンパク質溶液の体積はそれよりも少ない）を含む、キャップされた１．０ｃｍの通過の長さの石英キュベットを、温度調節されたセルホルダーに配置し、そして等温変性の温度で平衡化した。
【００５２】
温度は、Ｎｅｓｌａｂ Ｅｘａｃａｌ ＥＸ２００緩衝水浴（Ｎｅｓｌａｂ Ｉｎｓｔｒｕｍｅｎｔｓ， Ｉｎｃ． Ｐｏｒｔｓｍｏｕｔｈ， ＮＨ）を用いて、０．１℃以内に維持された。１〜５μｌアリコートのタンパク質原液を、緩衝液、又は緩衝液及びリガンドを含むキュベットに添加し、１．５ｍｌの最終体積及びほぼ０．５μＭのタンパク質濃度を得た。キュベットを再びキャップし、そして２８０ｎｍでの吸光度を、２ｎｍのバンド幅及び０．５秒の応答を伴なって、３０分までの間、１秒ごとに測定した。個々のタンパク質に関しては、いくつかのリガンド濃度の効果を、約０．５μＭ〜約４００μＭの範囲で試験した。キュベットを、硝酸及び１０％メタノールにより、上記のようにして十分に清浄し、そして実験の間、蒸留水及びエタノールによりすすいだ。
【００５３】
Ｈ．データ分析：
少数の場合においてのみ、タンパク質変性の時間依存性は、明らかな一次工程であった。それらのデータを、下記等式：
【００５４】
【数１】
2004502130.tif 000003
【００５５】
［式中、Ｙは実験的に測定されたシグナルであり、ＹＱはバックグラウンドシグナルであり、ΔＹは変性工程に関連するシグナルの全体的な変化であり、ｔは時間であり、そしてｋｅｘｐは実験的に測定された見掛け一次速度定数である］を用いて、非線状最小二乗法プログラムにより分析した。一般的に、変性の運動学は、しばしば明白な誘発期間を伴なって、二相運動学を示した。それらの時間経過を、次の２種の連続的一次反応の反応スキーム：
【００５６】
【数２】
2004502130.tif 000004
【００５７】
［式中、ｋ１及びｋ２は一次速度定数であり、そして理論的には、それらのすべての種は観察されるシグナルに寄与する］に従って分析した。それらの反応の間に観察されるシグナルに対応する等式は、下記式：
【００５８】
【数３】
2004502130.tif 000005
【００５９】
［式中、ＹＡ， ＹＢ及びＹＣはそれぞれ、種Ａ， Ｂ及びＣのためのシグナルである］である。しばしば、実験誤差内で、ＹＡ＝ＹＢが生じ、それにより、下記のように分析を単純化する：
【００６０】
【数４】
2004502130.tif 000006
【００６１】
ＹＢ＝ＹＣの場合、実験曲線は、ＹＡ＞ＹＢ又はＹＢ＞ＹＡののいずれかに依存して、単純な一次上昇又は崩壊に変化する。
予測されるよりもしばしば、等式３又は４によるデータの予備分析は、ｋ１及びｋ２がお互い非常に類似することを示した。等式３は、ｋ１＝ｋ２の場合、確かではないので、本発明者は、下記速度等式のシステムを統合し：
【数５】
2004502130.tif 000007
【数６】
2004502130.tif 000008
【数７】
2004502130.tif 000009
【００６２】
下記等式を生成した：
【数８】
2004502130.tif 000010
【数９】
2004502130.tif 000011
【数１０】
2004502130.tif 000012
【００６３】
次に、シグナルの時間依存性を、次の等式により与える：
【数１１】
2004502130.tif 000013
この等式は、ｋ１≒ｋ２の実験の結果を分析するために、非線状最小二乗法と共に使用された。
【００６４】
ロボットアッセイ：
化合物のライブラリーを、上記温度でウェル当たり単一の化合物を有する９６−ウェルマイクロタイタープレート型において高処理量スクリーニング態様で試験した。ＴＫ及びＵＫに関して、最適色素、及びタンパク質に対する色素の最適比を評価した。個々のマイクロタイタープレートは、８８の個々の化合物、及び緩衝液及び色素（化合物を有さない）のみを最初に含む８個の対照ウェルを含んだ。それらのアッセイプレートを、プラスチック製９６−ウェルマイクロプレートシール（Ｔｏｍｔｅｃ， Ｉｎｃ．， Ｈａｍｄｅｎ， Ｃｏｎｎｅｃｔｉｃｕｔ）により手動的に密閉した。それらのシールを、ピペット先端の容易な侵入のために印を付け、続いてピペット先端が取り出された後、再密閉した。
【００６５】
残る段階は、次の通りにロボットにより実施された。アッセイプレートを、初期インキュベーション時間、典型的には６０〜９０分間、温度／湿度−調節されたインキュベーター中に挿入し、所望するアッセイ温度にアッセイプレートを平衡化した。次に、蛍光測定Ｔｉを、ＢＭＧ ＰＯＬＡＲｓｔａｒにより取り、アッセイの下限を確立した。化合物及び緩衝液及び色素を含むそれらのウェルについてのこの蛍光読み取りを、化合物自体の効果を確かめるために使用した。ウェル含有物がアッセイ温度に平衡化されていることを確かめられた１組のインキュベーターにおける追加のインキュベーション期間に続いて、アッセイプレートを、急速プレート液体分散ユニットに移動した。
【００６６】
タンパク質を、改良された加熱されたプレート位置に位置するアッセイプレートに、プラスチックレザバーから添加した。最終インキュベーションのために、アッセイプレートを、温度／湿度調節されたインキュベーターに、アッセイ温度で、定義された時間、典型的には３０分間、戻した。第２の蛍光測定Ｔｆを、ＢＭＧ ＰＯＬＡＲｓｔａｒにより行った。対照ウェル（アッセイ緩衝液及び色素、並びにタンパク質）は、アッセイの上限を定義した。対照ウェルに比較して、化合物（及びアッセイ緩衝液、及び色素並びにタンパク質）を含むウェルについての蛍光測定値の比較は、化合物が興味あるタンパク質に結合し、そしてそのタンパク質を安定化する、定義されたＴｉ及びＴｆで読み取る。
【００６７】
ＩＩ．結果：
所定のタンパク質が容易に測定できる速度で変性を受ける温度を、リガンド結合研究の前、決定した。前記速度は、示差走査熱量計により測定される場合、熱転移温度（Ｔｍ）よりもわずかに低い温度又はその熱転移温度での測定方法のために最も適切であった。蛍光色素が所定のタンパク質のための最大シグナルを生成するかどうかを決定するために、Ｔｍでの予備等温変性実験を、１μＭの濃度での個々の色素及び０．５μＭでのタンパク質により行った。試験されるすべての色素のスペクトル性質が表１に与えられる。それらの長い励起及び発光波長のために、ＳＹＰＲＯ Ｏｒｅｎｇｅ及びＳＹＰＲＯ ＲｅｄがＨＴＳ型への使用のために魅力的である。
【００６８】
【表１】
2004502130.tif 000014
【００６９】
Ａ．チミジル酸キナーゼ：
図１に示されるチミジル酸キナーゼ（ＴＫ）についての熱走査は、５３℃で位置するＴｍを示し、次にこの温度がすべての続く等温実験のために選択された。タンパク質の冷却及び再加熱に基づいて、観察できるピークは見出されず（結果は示されていない）、このことは、このタンパク質が不可逆的に変性したことを示した。
【００７０】
蛍光：図２は、個々の色素についての時間依存性蛍光変化が５３℃で等温変性するチミジル酸キナーゼの存在下で測定される予備実験の結果を示す。すべての色素の蛍光は、変性の経過において二相態様で上昇し、そしてＤＢＳがバックグラウンド上で最大の正味上昇をもたらした。Ｎａｎｏ Ｏｒａｎｇｅ、 ＳＹＰＲＯ Ｏｒａｎｇｅ及びＳＹＰＲＯ Ｒｅｄ （タンパク質定量化及びゲル染色色素として一般的に使用される）の蛍光がまた、有意に上昇し、ところが、タンパク質よりも４倍モル過剰での１．８−ＡＮＳの蛍光上昇性は比較的小さかった。
【００７１】
最終的に、生来のタンパク質の添加に基づいて実験に使用されるＮａｎｏ Ｏｒｅｎｇｅ又はＳＹＰＲＯ Ｏｒａｎｇｅの量の蛍光における上昇は、広範囲のタンパク質濃度にわたって直線的であることがまた確かめられた（図３）。それらの結果は、色素が実験の条件下でタンパク質を飽和しないことを示す。換言すれば、色素自体はリガンドと競争せず、そしてそれらはタンパク質をいずれの測定できる程度に安定化しない。
【００７２】
そのスペクトル性質のために（表１を参照のこと）、ＳＹＰＲＯ Ｏｒａｎｇｅを、追加の変性実験への使用のために選択した。図４は、酵素のための特異的リガンドである上昇する量のＴＭＰの存在下で、ＴＫの等温変性の間に生じるＳＹＰＲＯ Ｏｒａｎｇｅ蛍光の代表的な時間経過を示す。タンパク質が最初に変性され、そして色素が工程の最後で添加される場合、蛍光上昇は瞬間的であった（データは示されていない）。従って、蛍光変化の時間依存性は、タンパク質非折りたたみを表し、そして変性されたタンパク質への色素のゆっくりした結合を表さない。
【００７３】
その時間依存性は二相性であり、少なくとも２種の速度決定非折りたたみ工程の存在を示す。その結果を、種々の運動学モデルと共に、非線状最小二乗法を用いて分析した。試験されるすべてのモデルのうち、同一の速度定数、等式１１を有する２種の連続的一次反応のモデルが、データと最も一致した。最良に適合するパラメーター及び等式１１により計算された理論的曲線と実験点との一致が図４に示される。
【００７４】
時間経過の初期の直線部分の傾斜はまた、第１の速度定数に比例し、そして従って、変性速度に対するＴＭＰ濃度の影響を分析するために使用され得る。図５は、リガンド濃度に対するそれらの２種のパラメーターの依存性を示す。その曲線を、非線状最小二乗法、及びリガンド結合部位の占有性に対する種々のモデル関連変性速度に対応する等式を用いて分析した。最良の一致は、タンパク質当たり２種のＴＭＰ分子の十分に協力的な結合が酵素の６倍の安定化をもたらすモデルにより見出された（図５）。
【００７５】
この結果は、チミジル酸キナーゼが、サイズ排除クロマトグラフィーにより明らかなように、二量体タンパク質であるので、十分に驚くべきことではない（Ｅ．コリタンパク質は、Ａ． Ｌａｖｉｅなど．， ｉｎ Ｎａｔｕｒｅ Ｓｔｒｕｃｔｕｒａｌ Ｂｉｏｌｏｇｙ， ４： ６０１−６０４ （１９９７） により、“チミジル酸キナーゼの構造がＡＺＴ活性化における制限段階後の原因を示す”ことにおいて二量体として存在することが知られている）。傾斜から、Ｋｄは９．１±１．６ｍＭであることが計算され、そして速度定数から、Ｋｄは７．６±０．８ｍＭであることが計算された。
【００７６】
５３℃で測定されたそれらの協同的Ｋｄ値は、飽和ＡＴＰ濃度を用いて活性アッセイにより２５℃で決定された非協同的運動パラメーターＫｍ＝２７μＭに直接的に比較できない。たぶん、その協同性は、ＴＫの運動機構が規則的添加から成り、それにより、ＴＭＰが占有されたＡＴＰ部位を有する酵素に単に結合することができ、そしてＴＭＰがＡＴＰ部位に弱く結合できる事実から生じるように思える。
【００７７】
吸光度及び円二色性：色素の蛍光変化が実際、２種の形の変性されたタンパク質に比例し、そして実際、変性工程を測定することを確かめるために、２種の他の技法、すなわちＣＤ及びＵＶ吸光度を、同じタンパク質の非折りたたみ運動学を研究するために使用した。
【００７８】
生来のタンパク質及びその変性された形の円二色性走査は、ＣＤスペクトルの有意な変化が非折りたたみを付随することを示す（図６）。例えば、２２２ｎｍでα−ヘリックスシグナルの強度に４５％の損失が存在した。従って、モル楕円率の変化の時間依存性を、２２２ｎｍで連続的にモニターした。図７に示されるように、２２２ｎｍでの楕円率は急速に上昇し、そして約１０分後、最大に達した。２５ｍＭのＴＭＰ、すなわち天然のリガンドの添加は、楕円率の上昇の速度及び大きさの両者を非常い低めた。データは、単純な一次反応と十分に一致し、それにより、楕円率の主要変化が２種の連続的非折りたたみ段階の最初の段階により生成されることを示す。
【００７９】
最終的に、芳香族アミノ酸の溶媒暴露の上昇に起因する、２８０ｎｍでの濃色性の時間依存性変化を測定した。図８におけるデータは、ＴＫの非折りたたみに関連する濃色性変化が急速且つ二相性であったことを示す。吸光度データは、２種の連続的一次反応のモデルにより最良に適合された。その結果は、等式３により記載されるように、２種の連続的一次反応のモデルと最も一致したが、しかし等しくない速度定数とはそうではなかった。
【００８０】
３種の技法により得られる速度定数が、表２において比較されている。スペクトル干渉のために、濃色性の変化に対するＴＭＰの存在の効果は試験されなかった。すべてのそれらの方法により測定される物性は、最初の速度制限段階の間、有意な変化を受けるように思える。速度定数と第１段階ｋ１との間に良好な一致が存在し、このことは、すべての３種の方法が同じ工程を測定することを示す。他方では、ＳＹＰＲＯ Ｏｒａｎｇｅにより観察される第２段階は、濃色性のいずれかの変化も生成せず、そして濃色性により観察される第２の非常に遅い段階は、それに関連するＳＹＰＲＯ Ｏｒａｎｇｅ蛍光のいずれの変化も有さない。
【００８１】
【表２】
2004502130.tif 000015
【００８２】
Ｂ．ストロメルシン：
ストロメルシンのＣＤスペクトル（Ｓａｒｖｅｒなど．， ＢＢＡ， １４３４， ３０４−３１６ （１９９９））及びトリプトファン蛍光（Ｅｐｐｓなど．， Ｊ． Ｐｒｏｔｏ． Ｃｈｅｍ．， １７， ６９９−７１２ （１９９８））の両者は、活性部位へのリガンドの結合により影響される。ＤＳＣは、このタンパク質が、図９に示されるように、７５℃で非常に高いＴｍを有することを示した。また、ＤＳＣ実験は、リガンド−結合についてのＴｍにおいて、１５℃もの上昇を示した（Ｓａｒｖｅｒなど．， ＢＢＡ， １４３４， ３０４−３１６ （１９９７））。従って、ストロメルシンの構造は、リガンド結合が非折りたたみ工程を劇的に影響を及ぼすことにおいて、等温変性研究に有用であると思われる。トリプトファン蛍光でさえ、変性工程をモニターするための有用な段階であるべきである。
【００８３】
蛍光：ストメルシンの変性の時間依存性は、ＳＹＰＲＯ Ｏｒａｎｇｅを用いてモニターされる場合、及び図１０Ａに示されるように、７５℃で二相性であった。変性は急速であり、そしてＰＮＵ−１４３９８８、すなわち既知のチアジアゾール型競争インヒビターにより、用量依存性態様で阻害された。
リガンドの不在下での変性反応は、２種の不均等な速度定数（等式３）、続く線状下方ドリフトを有する２種の連続的一次反応のモデルと最も一致した。前記線状ドリフトは、たぶん変性されたタンパク質の凝集及び／又は沈殿に由来する。それは、インヒビターの存在下で生じる変性においては不在であった。データの分析は、最良の運動モデルが、同一の速度定数（等式１１）を有する２種の連続的一次速度モデルを有する運動モデルであることを示した。それらの分析から計算された速度定数は、表３に与えられる。
【００８４】
【表３】
2004502130.tif 000016
【００８５】
ストロメルシンの固有のトリプトファン蛍光は特に、リガンド誘発されたコンホーメーション変化に対して、及びたぶん、活性部位領域の変性に対して敏感である。図１０Ｂに示されるように、７５℃での等温変性の時間経過にわたってトリプトファン蛍光強度の急速な二相性損失が存在した。トリプトファン蛍光の減衰の時間依存性は、同一の速度定数（等式１１）を有する２種の連続的一次反応のモデルと最も一致した。このモデルは、同じ条件下でＳＹＰＲＯ Ｏｒａｎｇｅの蛍光上昇により測定されるそれらと卓越して一致した速度定数を生成した（表３）。
【００８６】
蛍光運動曲線に由来する２種のパラメーターは、変性の速度、すなわち変曲点での傾斜及び一次速度定数を測定する。両パラメーターの値は、蛍光測定の場合に関して図１１に示されるように、インヒビターの存在下で、飽和性用量依存性態様で低下した。濃度依存性は、インヒビターの結合が変性の速度の強烈な低下をもたらすモデルと一致した。データは、単純なＬａｎｇｍｕｉｒ結合等温モデルにより分析され、初期速度からＫｄ＝０．２８±０．０２μＭを、及び速度定数からＫｄ＝０．３５±０．１３μＭを生成した。７５℃で測定されるそれらの値は、２５℃で速度アッセイにより測定されるＫｄ＝０．４０μＭの値に相当に比較できる。
【００８７】
吸光度：ＰＮＵ−１４３９８８の存在及び不在下でのストロメルシンの等温変性は、濃色性変化の速度及び大きさの両者の用量依存性阻害を示した（データは示されていない）。濃色性は、３分で最大に達し、そして長期の処理でわずかに低下し、そしてＰＮＵ−１４３９８８は、十分な反応のために必要とされる時間を、用量依存性態様で拡張した。阻害されていない反応の実験データと一致する最も単純なモデルは、単純な一次反応であり、そして最良に適合する速度定数は、他の技法により測定される２段階変性工程の第１段階の速度と比較できた（表３）。
【００８８】
ロボットＨＴＳアッセイの確認：確認実験の前、最適色素、及びタンパク質に対する色素の最適比を、上記アッセイ条件下でＴＫ及びＵＫ等温変性のための９６−ウェルプレート型において決定した。ＴＫの等温変性を、０．４μＭのタンパク質及び１．１μＭの色素の最終アッセイ濃度でＮａｎｏ Ｏｒａｎｇｅにより最良に検出した。同じ態様において、Ｎａｎｏ Ｏｒａｎｇｅを用いて、０．４μＭのタンパク質及び０．８μＭの色素の最終アッセイ濃度によるＵＫの等温変性の検出を可能にするための十分な手段を得た。
【００８９】
ＨＴＳロボットアッセイとしての等温変性の有効性を示すために、ＴＫ及びＵＫの変性を、記載のようにしてロボット操作するアッセイにより、マイクロプレート型において、既知のリガンドの存在下で行った。使用されるリガンドは、ＴＫの場合、ＴＭＰであり、そしてＵＫの場合、ウリジン一リン酸（ＵＭＰ）であった。タンパク質を、上昇する濃度のリガンドの不在下（対照）又は存在下でアッセイ変性条件にゆだねた。Ｔｉ及びＴｆ蛍光測定を用いて、％阻害率を計算した。
【００９０】
チミジル酸キナーゼに関しては、上昇する濃度のＴＭＰは、キュベット実験に見られる結果にもとづいて予測されるように、タンパク質の変性を低めた。ＴＭＰ濃度対対照の計算された％阻害率の曲線は、Ｌａｎｇｍｕｉｒ結合等温モデルと適合し、誤差を考慮する場合、前に見られた値に類似する見掛けＫｄ値を生成した。ウリジル酸キナーゼに関してと同様に、変性に対するＵＭＰの効果は、濃度依存性であり、ＵＭＰの濃度が上昇するにつれて、変性は低下した。データは、Ｌａｎｇｍｕｉｒモデルにより分析された。得られる計算は、２５℃で行われる活性アッセイから得られる、１ｍＭの見掛けＫｄ値に比較できる、７．５６±０．９５ｍＭの見掛けＫｄ値を与えた。
【００９１】
ＨＴＳシステムの確認を、それらの化合物は活性アッセイにおいて阻害活性を有するので、高められた可能性の含有タンパク質リガンドにより、サブセットの化合物の存在下でＴＫ及びＵＫの等温変性により進めた。この確認試験は、１０μＭの最終化合物濃度により、記載のようにして行われた。Ｔｉ及びＴｆ測定値を用いて、％阻害率を計算した。真の活性を、活性カットオフ値としてアッセイプレート対照の平均からの３種の標準偏差を用いることによって決定した。結果は表４に示される。対照実験をまた行った。蛍光及び消光を包含する固有のスペクトル性質を有する化合物を、それらの実験において観察した。
【００９２】
【表４】
2004502130.tif 000017
【００９３】
Ｃ．スタフィロコーカス・アウレウスＦｅｍＡ：
Ｓ．アウレウスＦｅｍＡ（Ｅｈｌｅｒｔなど．， Ｊ． Ｂａｃｔｅｒｉｏｌ．， １７９： ７５７３−７５７６ （１９９７） 及びＴｓｃｈｉｅｒｓｋｅなど．， ＦＥＭＳ Ｍｉｃｒｏｂｉｏｌ． Ｌｅｔｔ． １５３： ２６１−２６４ （１９９７））は、細胞壁生合成にたぶん包含されるタンパク質であり、そして従って、可能性ある殺菌剤としての魅力的な標的物を提供する。タンパク質は６−ｈｉｓ標識と共に発現され、その結果、それは、上記チミジル酸キナーゼに関するＱｉａｇｅｎ Ｎｉ２＋−ＮＴＡカラムにより精製され得る。等電点（ｐＩ値）から十分に除去されたｐＨを、タンパク質が溶解される緩衝液のために選択し；さらに、適切なイオン強度及びカチオンが、最大の構造が例えばＣＤ楕円率研究においてモニターされる場合に得られるよう使用される。
【００９４】
このタンパク質は既知の生化学的機能を有さないので、等温変性は、このタンパク質に結合する化合物を発現するための理想的手段を提供する。このタンパク質は、チミジル酸キナーゼ及びストロメルシンにより観察されるそれらの運動学に類似する多相運動学を示すと思われる。Ｔｍ値は、示差走査熱研究により決定される。変性の詳細な運動経路はまず、上記のような蛍光、吸光度及び／又は他の物理的方法により決定されるべきである。最適な色素、及びタンパク質に対する色素の最適比は、９６−ウェルマイクロタイタープレート型において急速に評価される。使用される蛍光団は、ＳＹＰＲＯ Ｒｅｄである。
【００９５】
化合物のライブラリー（１００，０００以上）を、Ｔｍよりも５℃低いか又は最大でも５℃低い温度で、ウェル当たり単一の化合物を有する９６−ウェルマイクロタイタープレート型において高処理量スクリーニングモデルにより試験する。個々のマイクロタイタープレートは、８８の個々の化合物を含む。さらに、８個の対照ウェルが、最初、緩衝液及び色素のみを含む（化合物を含まない）プレートにおいて存在する。タンパク質の添加の前、化合物を含むマイクロタイタープレート及び対照ウェルが読み取られ（Ｔｉ読み取り）、これはアッセイの下限を確立する。化合物及び緩衝液及び色素を含むそれらのウェルについてのこの蛍光読み取りは、化合物自体の効果を確かめるために使用される。
【００９６】
アッセイ温度での一定時間、例えば３０又は６０分後、もう１つの蛍光測定を行う（Ｔｆ読み取り）。対照ウェル（アッセイ緩衝液及び色素及びタンパク質）は、アッセイの上限を定義する。Ｔｉ及びＴｆでの対照ウェルの蛍光値に対する、化合物（及びアッセイ緩衝液及び色素及びタンパク質）を有するそれらのウェルについての蛍光値の比較は、この例においては、Ｓ．アウレウスＦｅｍＡである興味あるタンパク質に結合し、そしてそのタンパク質を安定化する化合物を定義する。続く反復実験において安定化を示すそれらの化合物のみが、可能性あるリガンド結合剤として購入される。
【００９７】
ＦｅｍＡに真に結合する化合物の他に、１つの化合物が次のような理由のために、増強された蛍光を提供することができる：１）それが、色素を結合する疎水性化合物である；２）それが、使用される波長で固有の蛍光を有する；３）それがミセルを形成する；又は４）それが、変性剤、不安定化剤、等であり得る。同様に、化合物は結合活性を有するが、しかし前記化合物は試験される波長で光を吸収する（消光する）ので、予測される結果よりも低い活性を示す。
【００９８】
色素に直接的に影響を及ぼす化合物を排除するために、アッセイ温度での化合物及び色素及び緩衝液を、タンパク質の添加の前、読み取る。従って、固有の蛍光、消光、蛍光増強又は蛍光団金属イオン封鎖を有するいずれかの化合物が同定され得る。タンパク質変性を増強するそれらの化合物を評価するために、追加の研究を、スクリーンが行われた後に行う。標的分子に結合する色素に対する化合物の効果を、周囲温度で行う。変性剤であるいずれかの化合物は、タンパク質の熱変性が生じない場合でさえ、タンパク質への蛍光色素の増強された結合性を示す。このタイプの化合物は、それらが特定のタンパク質（標的物）に対してこの性質を示し、そしてこの態様で複数のタンパク質（標的物）に影響を及ぼさない場合、興味あるものである。
【００９９】
すべてのそれらの基準が満たされた後、推定上の真の結合剤であるそれらの化合物はさらに特徴づけられ得る。その第１の研究は、化合物が理想的な用量−応答を示すかどうかを確かめることである。さらに、タンパク質変性の運動学に対するそれらの化合物の効果が研究され、そして続いて、Ｋｄ値が決定され得る。所定の温度でのＫｄ値を決定するために、十分な時間経過運動学についてのリガンド用量応答曲線を製造する。この工程は、３種又はそれ以上の温度で行われるべきである。次に、Ａｒｒｈｅｎｉｕｓ挙動性を仮定して、化合物のＫｄを、いずれかの温度について得ることができる。
【０１００】
個々の化合物の完全なライブラリーのスクリーニングの他に、化合物混合物を試験することができる。マイクロタイタープレートウェル当たり８種の化合物の混合物を含むサブセットの完全なライブラリーを使用する。このアッセイは上記のようにして行われる。次に、適切な結果を示すそれらの混合物のための化合物が同定され、そして個々に試験される。この場合、陽性の結果が混合物において存在したが、しかし個々の化合物に関しては、それらの結果が付加的であるか又はたぶん相乗的であるので、存在しない。従って、個々の化合物に関するアッセイが活性的でない場合、混合物の入れ替えが、組み合わせが元のスクリーニング結果を付与するかどうかを決定するために試験され得る。
【０１０１】
Ｄ．Ｓ．アウレウスの未知の遺伝子生成物：
全化合物収集物のスクリーニングの他に、基本的な基準に基づいてのサブセットの“サブライブラリー”を試験することができる。サブライブラリーを使用する利点は、高処理量スクリーニングからの有用な化合物の発見を促進することである。この例においては、もう１つのタンパク質標的物、すなわちＳ．アウレウスの未知の遺伝子生成物が用いられる。このタンパク質は、この生物のための必須遺伝子生成物である。排除されるこの機能を有するＳ．アウレウスの遺伝子的に構築された株は、細菌増殖を妨げる。
【０１０２】
しかしながら、その生物学的／生化学的機能は未知であり、そしてデータベースの調査は他の微生物における類似する遺伝子を同定するが、それらはまた、既知の生物学的又は生化学的機能を有さない。この遺伝子のためのＤＮＡ配列は知られているので、構造体は、タンパク質のアミノ又はカルボキシル末端に６−ｈｉｓ標識を配置することで構築され、そして記載される他の６−ｈｉｓ標的化されたタンパク質について記載されるようにして精製され得る。例えば、ＣＤによりモニターされるような所定の実験条件下での最大の構造体が、上記ＦｅｍＡタンパク質に類似して得られる。
【０１０３】
試験される１つの特定のサブライブラリー、すなわち不同性ライブラリーが、化合物がそれらの構造／化学的性質に基づいて分類される不同性調査により生成される。最も不同性の化合物が選択されると共に、同時に、それらは完全なライブラリーの発現を示す。等温変性研究においてこのタンパク質標的物を安定化する、同定される化合物を、独自にさらに試験する。さらに、それらのリガンド−結合剤に対する類似性を有するライブラリーにおける化合物を、コンピューター調査プログラムを用いることによって、完全なライブラリーから選択することができる。それらはまた試験される。この場合、化合物は、限定されたサブセットの完全な化合物収集物のみをスクリーニングすることによって、実質的に同定され得る。
【０１０４】
Ｅ．核酸等温変性：
興味ある配列を含むオリゴデオキシリボヌクレオチドは、合成され得るか又は市販されており、そして適切な順序で複合ＤＮＡにアセンブリーされ得る。次に、アセンブリーされたＤＮＡが、発現システム（例えば、ＡｍｂｉｏｎからのＭＥＧＡＳｃｒｉｐｔ）中に挿入され、興味あるＲＮＡが生成され得る。他方では、興味あるＲＮＡが十分に小さい場合、前記オリゴは、インビトロ転写がいずれのクローニング及び発現段階も伴なわないで行われ得るよう、適切なプロモーターを含むよう構成され得る。ＲＮＡの単離は、当業者に知られているプロトコールにより得られる。
【０１０５】
タンパク質性標的物に関しては、ＴｍはＤＳＣにより実験的に決定され得る。規則ＲＮＡ構成から不規則ＲＮＡ構造への転移をモニターするために使用され得る固有の蛍光色素の例は、ＳＹＢＲ Ｇｒｅｅｎ， ＳＹＢＲ Ｇｒｅｅ ＩＩ， Ｐｉｃｏ−Ｇｒｅｅｎ， 及びＴＯＰＲＣ， ＹＯＹＯ， 等を包含する。このアプローチを示すために使用され得るＲＮＡ分子の例は次のものを包含する：１）ＨＩＶ−１ｔａｒ ４７−８６ （Ｍｅｉなど．， Ｂｉｏｃｈｅｍｉｓｔｒｙ， ３７， １４２０４−１４２１２ （１９９８））；２）ＲＮＡ ａｐｔａｍｅｒ Ｊ１６ｆ１（Ｃｈｏなど．， Ｂｉｏｃｈｅｍｉｓｔｒｙ， ３７， ４９８５−４９９２ （１９９８））；及び３）１６ｓ ｒＲＮＡのＡ−部位（Ｗｏｎｇなど．， Ｃｈｅｍｉｓｔｒｙ ａｎｄ Ｂｉｏｌｏｇｙ， ５， ３９７−４０６ （１９９８））。
【０１０６】
それらのそれぞれのＲＮＡ分子に結合することが知られているリガンドは、次のものを包含する：１）ネオマイシン、他のアミノグリコシド抗生物質及び他の化合物（Ｍｅｉなど．， Ｂｉｏｃｈｅｍｉｓｔｒｙ， ３７， １４２０４−１４２１２ （１９９８））；２）トブラマイシン（Ｃｈｏなど．， Ｂｉｏｃｈｅｍｉｓｔｒｙ， ３７， ４９８５−４９９２ （１９９８））；及び３）カナマイシン及び他のアミノグリコシド（Ｗｏｎｇなど．， Ｃｈｅｍｉｓｔｒｙ ａｎｄ Ｂｉｏｌｏｇｙ， ５， ３９７−４０６ （１９９８））。
【０１０７】
タンパク質性標的物のための既知のリガンドは等温条件下でそれらの構造を安定化するので、それらの既知のリガンドは、類似する条件下でそれらの同起源のＲＮＡ分子を安定化する。同様に、タンパク質標的物に関しては、化合物の大きな収集物は、等温変性条件下でそれらの核酸構造体に結合し、そしてそれを安定化するかどうかを決定するために、高処理量スクリーニングで試験され得る。それらの化合物は、単独で、又はいくつかの化合物の組み合わせとして試験され得る。それらの蛍光色素による等温変性のモニターリングの他に、当業者はまた、ＵＶ濃色性又は細胞電気泳動を用いて、それらの変化をモニターすることができる。
【０１０８】
本発明は、特に前述の記載及び例に記載されるようにして実施され得ることは明白であろう。本発明の多くの修飾及び変更は、上記技法により可能であり、そして従って、本発明の範囲内である。本明細書に引用されるすべての出版物、特許及び特許出願の完全な開示は、引用により本明細書に組み込まれる。
【図面の簡単な説明】
【図１】図１は、チミジル酸キナーゼ（ＴＫ）のＤＳＣ走査を示す。チミジル酸キナーゼの熱溶解プロフィールは、前記方法に記載のようにして決定された。
【図２】図２は、種々の蛍光色素によりモニターされる場合のＴＫの等温変性を示す。等温変性実験は、０．５μＭのタンパク質濃度を用いて、５３℃の温度で、前記方法に記載のようにして行われた。ＤＤＳの濃度は１μＭであり、１，８−ＡＮＳは２μＭであり、そしてタンパク質色素は次の通りであった：Ｎａｎｏ Ｏｒａｎｇｅは１：６５０倍希釈で存在し、そしてＳＹＰＲＯ Ｏｒａｎｇｅ及びＳＹＰＲＯ Ｒｅｄの両者は１：１０，０００倍希釈で存在した。
【図３】図３は、ＴＫによるＳＹＰＲＯ Ｏｒａｎｇｅ及びＮａｎｏ Ｏｒａｎｇｅの滴定を示す。固定された量の色素、すなわち２５０ｎＭのＤＢＳ及び１：２６００希釈度のＮａｎｏ Ｏｒａｎｇｅが、上昇する量のチミジル酸キナーゼによりＴ＝２３℃で滴定され、そして蛍光の上昇が記録された。使用される発光／励起波長は、表１に与えられる。
【図４】図４は、ＳＹＰＲＯ Ｏｒａｎｇｅによりモニターされるチミジン一リン酸（ＴＭＰ）の存在下でＴＫの等温変性の時間依存性を示す。ＳＹＰＲＯ Ｏｒａｎｇｅ蛍光によるＴＫの等温変性をモニターリングするための実験的変性条件は、前記方法に記載される。緩衝液２ｍｌ中、前記反応混合物は、０．５μＭのタンパク質、２０，０００倍希釈度でのＳＹＰＲＯ Ｏｒａｎｇｅ及び示される濃度でのＴＭＰを含んだ。ＴＭＰは、タンパク質の添加の時点で反応混合物に存在した。データは、等式１１を用いて分析され、そして実線は実験データへの理論的適合性を表す。
【図５】図５は、ＴＭＰによる等温変性に対するＴＫの安定化の用量依存性を示す。ＴＭＰ／ＴＫ相互作用の用量依存性が、運動曲線の直線傾斜及び結果に記載されるような一次速度定数の両者を用いて計算された。二次Ｌａｎｇｍｕｉｒモデルを用いて、傾斜及び速度定数値から解離定数を計算した。実践は、実験データ点への理論的適合性を表す。一次速度定数により測定される場合のチミジル酸キナーゼのＴＭＰ用量依存性安定化が、図５Ａに及び図５Ｂにおける初期速度により示される。
【図６】図６は、ＴＫのＣＤ（円二色性）構造の等温変性の効果を示す。次に、生来の及び等温的に変性されたＴＫのＣＤスペクトルが前記方法に記載のようにして取られ；空白の丸＝生来のタンパク質；黒丸＝５３℃で等温変性されたＴＫ。
【図７】図７は、ＣＤによりモニターされるＴＫの等温変性の時間の依存性を示す。２５ｍＭのＴＭＰの添加を伴なって又はそれを伴わないで５３℃でのＴＫ等温変性の時間依存性が、前記方法に記載のようにしてＣＤにより追跡された。そのデータは一次速度モデルを用いて分析され、そして実践は実践データ点に対する理論的適合性を表す。
【図８】図８は、ＵＶ濃色性によりモニターされるＴＫの等温変性の時間依存性を示す。ＴＫ等温変性の時間依存性が、前記方法に記載のようにして、２８０ｎｍでの吸光度上昇によりモニターされた。データは、等式４（上記）を用いて分析され、そして実線は、実験データ点に対する理論的適合性を表す。
【図９】図９は、ストロメルシンのＤＳＣ走査を示す。ストロメルシンの熱溶解プロフィールが前記方法に記載のようにして決定された。
【図１０Ａ】図１０Ａは、ＳＹＰＲＯ Ｏｒａｎｇｅ蛍光によりモニターされるストロメルシンの等温変性の時間依存性を示す。競争インヒビターＰＮＵ−１４３９８８の添加を伴なって又はそれを伴なわないで７５℃でのストロメルシン等温変性の時間依存性が、前記方法に記載のようにして、ＳＹＰＲＯ Ｏｒａｎｇｅ蛍光の上昇により追跡された。対照反応についてのデータは等式４により分析され、そして阻害された反応についてのデータは等式１１を用いて分析された。１．５及び５μＭのＰＮＵ−１４３９８８の存在下での代表的なデータがまた示されている。実線は、実験データ点に対する理論的適合性を表す。
【図１０Ｂ】図１０Ｂは、トリプトファン蛍光によりモニターされるストロメルシンの等温変性の時間依存性を示す。ストロメルシンの等温変性の時間依存性は、検出のために固有のトリプトファン蛍光の上昇を用いての検出によりＴ＝７５℃でモニターされた。データは等式１１を用いて分析された。実線は、実験データ点に対する理論的適合性を表す。
【図１１】図１１は、ＳＹＰＲＯ Ｏｒａｎｇｅによりモニターされるストロメルシンの等温変性の初期速度及び速度定数に対するＰＮＵ−１４３９８８の効果を示す。競争インヒビターＰＮＵ−１４３９８８の添加を伴なって、又はそれを伴なわないで７５℃でのストロメルシン等温変性の時間依存性が、前記方法に記載のようにして、ＳＹＰＲＯ Ｏｒａｎｇｅ蛍光の上昇により追跡された。図１１Ａ＝初期速度；図１１Ｂ＝速度定数。
【図１】
2004502130.tif 000018
【図２】
2004502130.tif 000019
【図３】
2004502130.tif 000020
【図４】
2004502130.tif 000021
【図５】
2004502130.tif 000022
【図６】
2004502130.tif 000023
【図７】
2004502130.tif 000024
【図８】
2004502130.tif 000025
【図９】
2004502130.tif 000026
【図１０】
2004502130.tif 000027
【図１１】
2004502130.tif 000028
【国際公開パンフレット】
2004502130.tif 000029
2004502130.tif 000030
2004502130.tif 000031
2004502130.tif 000032
2004502130.tif 000033
2004502130.tif 000034
2004502130.tif 000035
2004502130.tif 000036
2004502130.tif 000037
2004502130.tif 000038
2004502130.tif 000039
2004502130.tif 000040
2004502130.tif 000041
2004502130.tif 000042
2004502130.tif 000043
2004502130.tif 000044
2004502130.tif 000045
2004502130.tif 000046
2004502130.tif 000047
2004502130.tif 000048
2004502130.tif 000049
2004502130.tif 000050
2004502130.tif 000051
2004502130.tif 000052
2004502130.tif 000053
2004502130.tif 000054
2004502130.tif 000055
2004502130.tif 000056
2004502130.tif 000057
2004502130.tif 000058
2004502130.tif 000059
2004502130.tif 000060
2004502130.tif 000061
2004502130.tif 000062
2004502130.tif 000063
2004502130.tif 000064
2004502130.tif 000065
2004502130.tif 000066
2004502130.tif 000067
2004502130.tif 000068
2004502130.tif 000069
2004502130.tif 000070
2004502130.tif 000071
2004502130.tif 000072
2004502130.tif 000073
2004502130.tif 000074
2004502130.tif 000075
2004502130.tif 000076
【国際公開パンフレット（コレクトバージョン）】
2004502130.tif 000077
【国際調査報告】
2004502130.tif 000078
2004502130.tif 000079
2004502130.tif 000080